(57)【特許請求の範囲】
【請求項１】
配球装置を備える野球ゲーム盤であって、
前記配球装置は、
平板と、
前記平板上にボールを係止するための球座と、
前記平板を回動させるための駆動装置と、
を備えることを特徴とする野球ゲーム盤。
【請求項２】
請求項1記載の配球装置と、
打撃装置と、を備える野球ゲーム盤であって、
前記打撃装置は、
ヘッドの先端に凹部を有しているバットと、
前記バットを把持し、水平に回動可能な軸を有している枠体と、
前記枠体を、その一端側で回動可能に固定している台板と、
前記枠体と前記台板との間に装着されていて、その変形により前記枠体の回動を付勢する弾性体と、
前記台板の他端側に固定されていて、貫通孔を有している係止体と、
前記係止体の貫通孔を通して前記バットの先端の凹部に挿入することにより、前記弾性体を付勢した状態に維持したまま前記バットを係止する係止棒と、を備え、
前記バットは、
前記凹部から前記係止棒が引き抜かれると、前記弾性体の付勢力により、
前記配球装置の平板上に載置されているボールを打撃可能に水平に回動されること、
を特徴とする野球ゲーム盤。
【請求項３】
前記配球装置は、野球盤のホームベースの位置に配置されていて、
前記打撃装置は、前記台板の一端側を内野側、前記他端側をキャッチャーボックス側で、野球盤のバッターボックスの内側に配置されていて、
前記平板の表面上を水平に回動する前記バットの中心線上に、前記配球装置に載置されているボールの中心が位置するように高さが調節されていること、
を特徴とする、請求項２記載の野球ゲーム盤。
【請求項４】
前記野球ゲーム盤の盤面の対角線長は略６．３ｍ、前記盤面の地上高は略６2ｃｍで、
前記盤面のバッターボックスが表示されている角丸頂点手前に、幅略１．５ｍの打席が設けられていること、
を特徴とする請求２又は３記載の野球ゲーム盤。
【請求項５】
前記野球ゲーム盤は、さらに前記盤面の周囲に立設する周壁部を備え、
前記打席の両側に立設する前記周壁部が透明部材からなること、
を特徴とする請求項４記載の野球ゲーム盤。
【請求項６】
前記盤面は、複数のピースをはめ合わせることにより平面状に配置可能に構成されていること、
を特徴とする請求項４又は５記載の野球ゲーム盤。
【発明の詳細な説明】
【技術分野】
【０００１】
本発明は、誰もが最初から容易にプレイ可能で面白さを体感できる野球ゲーム盤に関する。
【背景技術】
【０００２】
従来、家庭のテーブルや座卓等に載置可能な４０ｃｍ×４０ｃｍ〜６０ｃｍ×６０ｃｍ程度のサイズの野球場を模した盤面上で投球、打球等を２人で行うことで野球ゲームを体現できるように構成した野球ゲーム盤が種々存在する。このような野球ゲーム盤は、投球部、打球部、捕球部等の機構を備え、つまみの操作によって、投球部から実際にボールを発射し、発射されたボールを打球部のバットで打ち返すように構成されている（例えば、特許文献１、特許文献２）。
特許文献１に記載の野球ゲーム盤は、変化球ツマミを前後に操作することによってバッティング部の直前に設けた可動プレートを降下させてボールを盤面の下に降下させたり、投球部の発射穴を覆う発射カバーを前後させてボールを転がして又はバウンドするように投球したり、また投球ツマミを前後左右に操作することによってボールスピードの緩急や投球コースを変化させ、さらに投球部とバッティング部との中間位置の盤面裏面に磁石を設けることによってボールが磁石上を通過する際にコースを変化させる等の機能を有する。
そして、このように多彩に変化するように投球されたボールを、打撃ツマミを前後に操作することによってバッティング部の模擬バットで打ち返し、野手捕球部に入るとアウト、ファールゾーンに位置する受入口に入るとファール、フェアゾーンに位置する受入口に入ると適宜アウト又は所定のヒットとなる。
また特許文献２に記載の野球ゲーム盤は、脚部を有するボール体をピッチャーズプレートの位置からホームベースに向かって移動させることによりボールの投球に代え、ホームベースと左右のバッターボックスを表示した回転円板にボール体が乗ったタイミングを見計らって、手動レバーの操作で回転円板を回転させてボール体の進路を外野方向に転換させることにより打撃に代えている。そして、ボール体が所定の凹部に転落すればアウト、転落しなければヒットとなる。
【先行技術文献】
【特許文献】
【０００３】
【特許文献１】特開２０１６−１２８０００号公報
【特許文献２】実開昭５８−５８０８８号公報
【発明の概要】
【発明が解決しようとする課題】
【０００４】
しかし、特許文献１記載の野球ゲーム盤では、変化球ツマミや投球ツマミの操作で変化に富んだボールを投球し、また打撃ツマミの操作で多彩に変化するボールを上手く打撃してゲームの面白みや楽しみを感じるには煩雑な操作に習熟する必要がある。プレイ経験が少ない者は、熟練者との差が歴然で習熟する前にやる気や興味を失ってしまい、野球ゲームを楽しめない。
特許文献２記載の野球ゲームでは、ボールもバットも全くないため、野球ゲームをプレイしているという実感に欠ける。
また、いずれの野球ゲーム盤においても、テーブルや座卓等の中央に配置して対面方式でプレイするため、身障者の中には操作ツマミまで手が容易に届かない場合があり、操作ツマミを操作するためのユーザインターフェースを個別に用意する必要がある。さらに、室内で２人から数人で楽しむだけなので、野球をプレイしているという実感や臨場感に欠けていた。
【０００５】
本発明は、このような課題を解決するためになされたものであり、実際の野球や野球ゲーム盤の経験の有無、健常者や身障者を問わず、誰もが最初から容易にプレイ可能で面白さを体感できる配球装置及びこれを用いた野球ゲーム盤を提供することを目的とする。またチーム対戦を可能とし、野球をプレイしているという実感やチームメイトのプレイに対する共感を覚えるとともに、応援者も観戦し応援することができるため、あたかも野球場にいるという臨場感が得られる野球ゲーム盤を提供することを目的とする。
【課題を解決するための手段】
【０００６】
請求項１に記載の野球ゲーム盤は、平板と、前記平板上にボールを係止するための球座と、前記平板を回動させるための駆動装置とを備える配球装置を備える。
【０００７】
請求項２に記載の野球ゲーム盤は、請求項1記載の配球装置と、打撃装置と、を備える野球ゲーム盤であって、前記打撃装置は、ヘッドの先端に凹部を有しているバットと、前記バットを把持し、水平に回動可能な軸を有している枠体と、前記枠体を、その一端側で回動可能に固定している台板と、前記枠体と前記台板との間に装着されていて、その変形により前記枠体の回動を付勢する弾性体と、前記台板の他端側に固定されていて、貫通孔を有している係止体と、前記係止体の貫通孔を通して前記バットの先端の凹部に挿入することにより、前記弾性体を付勢した状態に維持したまま前記バットを係止する係止棒とを備え、前記バットは、前記凹部から前記係止棒が引き抜かれると、前記弾性体の付勢力により、前記配球装置の平板上に載置されているボールを打撃可能に水平に回動されることを特徴とする。
【０００８】
請求項３に記載の野球ゲーム盤は、前記配球装置は、野球盤のホームベースの位置に配置されていて、前記打撃装置は、前記台板の一端側を内野側、前記他端側をキャッチャーボックス側で、野球盤のバッターボックスの内側に配置されていて、前記平板の表面上を水平に回動する前記バットの中心線上に、前記配球装置に載置されているボールの中心が位置するように高さが調節されていることにより、ボールを芯で捕らえて快い打球音とともに打ち返すことが容易なことから、野球をプレイしているという実感が得られ、野球ゲームの面白さを体感できる野球ゲーム盤を提供することができる。
【０００９】
請求項４に記載の野球ゲーム盤は、前記野球ゲーム盤の盤面の対角線長は略６．３ｍ、前記盤面の地上高は略６２ｃｍで、前記盤面のバッターボックスが表示されている角丸頂点手前に、幅略１．５ｍの打席が設けられていることにより、通常の野球ゲーム盤の１０倍程度大きいことからチーム対戦を可能とし、子供や車いすの人が野球ゲーム盤上を一望でき、車いすの人でも乗ったまま打席に入って実際の野球をプレイしているような醍醐味を味わえる野球ゲーム盤を提供することができる。
【００１０】
請求項５に記載の野球ゲーム盤は、さらに前記盤面の周囲に立設する周壁部を備え、前記打席の両側に立設する前記周壁部が透明部材からなることにより、打席でプレイしている打者のすぐ傍らで、チームメイトや応援者が応援することができるので、野球をプレイしているという実感やチームメイトのプレイに対する共感を覚え、あたかも野球場にいるという臨場感が得られる野球ゲーム盤を提供することがてきる。
【００１１】
請求項６に記載の野球ゲーム盤は、前記盤面は、複数のピースをはめ合わせることにより平面状に配置可能に構成されていることにより、組立、解体が簡単で、コンパクトに収納でき運搬が容易なので、適度の広さがあれば、どこでも楽しめる野球ゲーム盤を提供することができる。
【発明の効果】
【００１２】
本発明の請求項１によれば、平板と、前記平板上にボールを係止するための球座と、前記平板を回動させるための駆動装置とを備える配球装置を備える構成により、実際の野球や野球ゲーム盤の経験の有無、健常者や身障者を問わず、誰もが最初から容易にプレイ可能で面白さを体感できる野球ゲーム盤を提供することができる。
【００１３】
本発明の請求項２によれば、請求項1記載の配球装置と、打撃装置と、を備える野球ゲーム盤であって、前記打撃装置は、ヘッドの先端に凹部を有しているバットと、前記バットを把持し、水平に回動可能な軸を有している枠体と、前記枠体を、その一端側で回動可能に固定している台板と、前記枠体と前記台板との間に装着されていて、その変形により前記枠体の回動を付勢する弾性体と、前記台板の他端側に固定されていて、貫通孔を有している係止体と、前記係止体の貫通孔を通して前記バットの先端の凹部に挿入することにより、前記弾性体を付勢した状態に維持したまま前記バットを係止する係止棒とを備え、前記バットは、前記凹部から前記係止棒が引き抜かれると、前記弾性体の付勢力により、前記配球装置の平板上に載置されているボールを打撃可能に水平に回動されることにより、実際の野球や野球ゲーム盤の経験の有無、健常者や身障者を問わず、誰もが最初から容易にプレイ可能で面白さを体感できる野球ゲーム盤を提供することができる。
【図面の簡単な説明】
【００１４】
【図１】本発明の実施例１に係る野球ゲーム盤の全体構成例を示す図である。
【図２】本発明の実施例１に係る野球ゲーム盤の配球装置の構造例を示す図である。
【図３】本発明の実施例１に係る打撃装置の構造例を示す図である。
【図４】本発明の実施例１に係る野球ゲーム盤の上面板、配球装置、打撃装置及びボールの高さ方向の相対的位置関係例を示す図である。
【図５】本発明の実施例１に係る野球ゲーム盤のホームベース近傍の拡大上面図である。
【発明を実施するための形態】
【００１５】
以下、添付図面を参照しながら本発明を実施するための形態について詳細に説明する。図１から図５は、本発明の実施の形態を例示する図であり、これらの図において、同一の符号を付した部分は同一物を表し、基本的構成及び動作は同様であるものとする。
【実施例１】
【００１６】
図１は、本発明の実施例１に係る野球ゲーム盤の全体構成例を示す図である。
図１に示す野球ゲーム盤１は、野球場を模したゲーム盤本体１０、ボールを配球する配球装置２、配球されたボールを打撃する打撃装置３及びボール４（図示せず）から構成されている。
【００１７】
ゲーム盤本体１０は、角丸四角形である上面板１１、上面板１１の周縁に立設する周壁部１９及び上面板１１の中央後方の周壁部１９上に立設するバックスクリーン１４から構成されている。
【００１８】
上面板１１には、野球場を模して、ホームベース１２、左右のバッターボックス１３、キャッチャーズボックス、一塁ベース、二塁ベース、三塁ベース、一塁ファウルライン、三塁ファウルラインが表示されている。
【００１９】
そして、ファースト、セカンド、ショート、サード、ライト、センター、レフトの守備位置及びファウルライン脇に窪みが設けられ、打球が入るとアウトとなるアウト凹部１５が形成されている。さらに、上面板１１後方の周壁部１９直前の所定箇所にもアウト凹部１５が形成されている。
【００２０】
また上面板１１後方の周壁部１９直前には、別の窪みが設けられ、打球が入ると一塁打、二塁打、三塁打となるヒット凹部１６が形成されている。特にバックスクリーン１４前方には、打球が入るとホームランとなるホームラン凹部１７が形成されている。なお、打球がいずれのアウト凹部１５、ヒット凹部１６、ホームラン凹部１７にも入らずに上面板１１上で止まった場合には、一塁打となる。
【００２１】
上面板１１の一塁、二塁及び三塁のベース上には、走者を表す走者灯１８ａ、１８ｂ、１８ｃが配置され、打球がヒット凹部１６に入るか上面板１１上に止まった場合、走者がいる位置の走者灯１８ａ、１８ｂ、１８ｃが点灯する。
【００２２】
上面板１１のホームベース１２上には、ボールを配球する配球装置２が載置されている。同様に、上面板１１のバッターボックス１３内には、配球されたボールを打撃する打撃装置３が載置されている。
【００２３】
そして実際の打者は、バッターボックス１３が表示されている上面板１１の角丸頂点手前にある打席２０から打撃装置３を操作する。
【００２４】
図２は、本発明の実施例１に係る野球ゲーム盤の配球装置の構造例を示す図である。
図２に示す配球装置２は、円周方向に回動する円板２１、ボール４を係止するために円板２１上の周縁付近に形成されている球座２２及び円板２１を回動させる駆動装置２３から構成されている。
【００２５】
駆動装置２３は、電源をオン、オフする電源スイッチ２３１、円板２１の回動速度を調節する駆動速度調節つまみ２３２、円板２１を下から支持するターンテーブル２３３、ターンテーブル２３３を回動する軸となる回動軸２３４、回動軸２３４を駆動する駆動ユニット２３５及び速度調節ユニット２３６から構成されている。
駆動装置２３は、電源スイッチ２３１をオンにすると、駆動ユニット２３５を駆動して回動軸２３４を介してターンテーブル２３３を円周方向に一定速度で回動する。
【００２６】
そして、ターンテーブル２３３上に載置された円板２１は、ターンテーブル２３３と同速度で円周方向に回動される。円板２１の回動速度は、駆動速度調節つまみ２３２を回転することにより速度調節ユニット２３６を介して駆動ユニット２３５を制御することにより調節される。
駆動ユニット２３５としては、例えばブラシモータ、ブラシレスモータ等のＤＣモータやステッピングモータが用いられる。そして速度調節ユニット２３６としては、例えばＤＣモータには駆動電圧制御回路、ステッピングモータにはパルス周波数制御回路が用いられる。
【００２７】
したがって配球装置２は、円板２１上の球座２２に載置されたボール４を所定速度で円周方向に回動し続ける。
【００２８】
図３は、本発明の実施例１に係る打撃装置の構造例を示す図である。
図３に示す打撃装置３は、ボール４を打つバット３１、バット３１を水平に回動可能に把持する枠体３４、枠体３４を回動可能に固定している台体３６、枠体３４を介してバット３１が回動する付勢力を生じさせる弾性体３７、弾性体３７で生じた付勢力に抗してバット３１を所定位置に維持するための係止体３８ａ、３８ｂ及び係止棒３９、係止棒３９を引っ張る紐４０及び手許体４１から構成されている。
【００２９】
バット３１は、Ｕ溝状に形成されている枠体３４の溝にグリップ部の根本付近が挿入され、Ｕ溝上部に設けられている孔にボルトを通してナット締めされることにより枠体３４に把持されている。
【００３０】
枠体３４は、底部にボール軸受を備えて回動可能な軸３５を有し、ボール軸受と一体となっている取付け座をボルト締めされることにより台体３６に固定されている。なお、バットの高さを調節するために、枠体３４の取付け座と台体３６との間には高さ調整板が挿入されている。
【００３１】
弾性体３７は、一端を枠体３４のＵ溝上部の孔に通されているボルト頭部に引っ掛けて固定され、他端を台体３６の側面にねじ止めされて固定されている。そして、バット３１を枠体３４を介して手動で水平に回動させることで弾性体３７が変形することにより、逆方向に回動する付勢力が弾性体３７に生じる。
【００３２】
一方、バット３１は、ヘッド３２の先端中央に、係止棒３９を挿入するための凹部３３を有している。
係止棒３９は、台体３６に底部を固定されている首長ブラケット状の２つの係止体３８ａ、３８ｂの頂上部に設けられている孔部を通して凹部３３に挿入されることにより、バット３１に付勢力が加えられている状態を維持する。
【００３３】
係止体３８ａ及び係止体３８ｂは、頂上部に設けられた互いの孔部の中心軸を合わせて、数ｃｍ離間して配置されている。これは、バット３１に加えられている付勢力を解除する際に、挿入されている係止棒３９を凹部３３からスムーズに後方へ引き抜くようにするためである。
【００３４】
係止棒３９には、上面板１１に載置されている打撃装置３から打席２０まで所定の距離があるため、その終端近傍に設けられた環状金具を介して所定長さの紐４０が取り付けられている。そして紐４０の終端にはフック式の環状金具が取り付けられ、これを介して手許体４１に設けられている環状金具に係止されている。
【００３５】
手許体４１は、手で把持しやすいように角に丸みがある直方体形状で、長方形及び正方形の面中央にそれぞれ紐４０を取り付ける環状金具が設けられている。これは、手許体４１を手で把持して、腕を後方に引いたり、肘や手首を曲げたりすることにより、容易に係止棒３９を凹部３３から引く抜くためである。
【００３６】
つぎに、図１から図５を用いて、上面板１１、配球装置２、打撃装置３及びボール４の具体的な大きさや相対的な位置関係について説明する。
図４は、本発明の実施例１に係る野球ゲーム盤の上面板、配球装置、打撃装置及びボールの高さ方向の相対的位置関係例を示す図である。
図５は、本発明の実施例１に係る野球ゲーム盤のホームベース近傍の拡大上面図である。
【００３７】
上面板１１（図１）は、例えば、一辺が５．２ｍの角丸四角形で、その対角線長Ｗｇｂが６．３ｍと、通常の野球ゲーム盤の１０倍程度大きいことから、チーム対戦を可能とし、応援者も観戦できる。また、地上から上面板１１までの高さＨｇｂは略６２ｃｍで、子供や車いすに座っている人が打席２０に入ったときでも上面板１１上を一望できてプレイを楽しめる高さである。上面板１１は、例えば厚さ１．６ｃｍの強化段ボール製である。
【００３８】
上面板１１の周縁に立設する周壁部１９（図１）は、例えば、高さが略１５ｃｍで、最上部の地上高が略７７ｃｍである。周壁部１９は、例えば、打席２０の両側に立設する透明なアクリル製の板と、外野側に立設する強化段ボール製の板とで構成される。打席２０の両側に立設する周壁部１９が透明であることから、打席２０でプレイしている打者のすぐ傍で、チームメイトや応援者が観戦しながら応援することができるので、野球をプレイしているという実感やチームメイトのプレイに対する共感を覚え、あたかも野球場にいるという臨場感が得られる。
【００３９】
円板２１（図２）は、例えば、直径Ｄｐｄが４０ｃｍで、駆動装置２３から円板２１表面までの高さＨｐｄが略６．７ｃｍである。円板２１は、例えば、重さが１ｋｇ程度の透明なアクリル製である。
【００４０】
円板２１上に貼着されている球座２２は、円板２１の中心から、例えば、略１１ｃｍの位置に中心位置を有し、内径が略４．５ｃｍ、幅が略４ｍｍ、厚さが３ｍｍ程度のゴム製Ｏリングである。
【００４１】
円板２１を回動する駆動装置２３は、駆動速度調節つまみ２３２により、例えば、約５秒から４５秒で円板２１を左回転で一周させることができる。
【００４２】
図４に示すように、駆動装置２３は、上面板１１上のホームベースの一部に切り欠きが形成され、その直下に当接された強化段ボール製の容器内に収納されている。
このため、円板２１の表面は、上面板１１の表面から高さＨｔ１．２ｃｍだけ高いことになる。
【００４３】
バット３１は、例えば木製で、長さＬｂｔが４４ｃｍ〜５０ｃｍ、ヘッド３２の太さが略５ｃｍ、凹部３３は直径が１ｃｍで、深さｄｄが４ｃｍである。
凹部３３の深さｄｄが４ｃｍと深いのは、例えば、身体の可動範囲や野球経験の有無によって凹部３３に係止棒３９を挿入する深さを調節することにより、健常者でも身障者でも対等にプレイできるようにすることを考慮したものである。
【００４４】
バット３１を把持する枠体３４は、例えば金属製で、自在キャスタのフォーク〜取付け座を転用したものである。
【００４５】
枠体３４を回動可能に固定している台体３６は、例えば木製で、バット３１を所定位置に維持するための係止体３８ａ、３８ｂも固定されているためバット３１より長く、例えば、長さが略５９ｃｍ、幅が９ｃｍ程度である。
【００４６】
バット３１を所定位置に維持するための係止体３８ａ、３８ｂは、例えば金属製で、首長ブラケットを転用したものである。係止体３８ａ、３８ｂ頂上部の孔部の直径は、例えば１ｃｍである。
係止体３８ａは、ヘッド３２から例えば１ｃｍ程度離隔したバット３１の中心線上に頂上部の孔部が位置するように台体３６に固定されている。そして係止体３８ｂは、同様にバット３１の中心線上に頂上部の孔部が位置し、係止体３８ａ、３８ｂ同士の脚部が当接するように台体３６に固定されている。このように配置することにより、バット３１に加えられている付勢力を解除する際に、挿入されている係止棒３９を凹部３３からスムーズに後方へ引き抜くことができる。
【００４７】
バット３１を所定位置に維持するため係止体３８ａ、３８ｂを通して凹部３３に挿入する係止棒３９は、例えば木製で、長さが略１２ｃｍ、直径が８ｍｍ程度である。凹部３３への抜き差しを容易にすめために、係止体３８ａ、３８ｂの孔部及び凹部３３より細くなっている。
【００４８】
係止棒３９に取り付けられている紐４０の長さは、打撃装置３から打席２０まで距離があるため、例えば５０ｃｍ〜６０ｃｍ程度である。
また、紐４０の終端にフック式の環状金具で係止されている手許体４１は、子供の手でも把持しやすいように、例えば木製で、大きさが２．５ｃｍ×２．５ｃｍ×１１ｃｍ程度の角丸直方体である。
【００４９】
ボール４は、例えば直径Ｄｂｌが１０ｃｍの中空のアルミ製で、重さが４ｇである。
【００５０】
したがって上面板１１からボール４の中心位置までの高さＨｃは、上面板１１から円板２１表面までの高さＨｔが１．２ｃｍ、球座２２の厚さが３ｍｍ、ボール４の半径が５ｃｍであることから、６．５ｃｍ程度となる。
そして打撃装置３は、例えば木製の高さ調整板の厚さを調整し、高さのあった係止体３８ａ、３８ｂを選択することにより、バット３１の中心線の高さを６．５ｃｍ程度に合わせてある。
【００５１】
また図５に示すように、球座２２に載置されたボール４は、円板２１の中心から半径略１１ｃｍ（直径略２２ｃｍ）の破線で示す円上を左回転で移動する。ホームベースの幅が２３ｃｍ程度であるから、ボール４は、常にストライクゾーン内を外角から内角に向かって移動することになる。
一方打撃装置３は、右打者用のバッターボックス１３内に設置されている。そして、ヘッド３２は、枠体３４を中心に半径４４ｃｍ〜５０ｃｍの１点鎖線で示す円弧軌道上を通過する。左右打者用のバッターボックス１３間の距離が３８ｃｍ程度で、配球装置２がその中央に配置されているから、バット３１は、円板２１上に載置されたボール４が破線で示す円上のどこを移動していてもほぼ確実にボール４に当たる。
【００５２】
このように、バット３１がほぼ確実に円板２１上に載置されたボール４に当たり、ボール４の中心位置がバット３１の中心線上にあるのでボール４を芯で捕らえることが容易で、かつボール４が中空のアルミ製であることから、バット３１がボール４に当たった瞬間に「カッキーン」という実際の野球に近い快い打球音が聞こえ、またボール４の位置が上面板１１より少し高いことから、打球が僅かに中空を飛んで行く様が見えるので、野球をプレイしているという実感が得られる。
【００５３】
つづいて、本発明の実施例１に係る野球ゲーム盤１の組立の仕方について説明する。
まず上面板１１は、例えば、ジグソーパズルのように１８枚のピースをはめ合わせて形成される。
アウト凹部１５、ヒット凹部１６及びホームラン凹部１７の窪みは、予め上面板１１を構成するピース上の所定位置に形成されている。これらの窪みは、所定位置を切欠き、上面板１１の底面側に、例えばプラスチック樹脂製の薄板を貼り、切り欠いた縁の一部に沿って、例えば強化段ボール製の小片を上面板１１上に貼ることにより形成されている。
【００５４】
また上面板１１には、一塁、二塁及び三塁のベース上に差し込み孔があり、一塁走者灯１８ａ、二塁走者灯１８ｂ、三塁走者灯１８ｃがそれぞれの孔に差し込まれる。
さらに上面板１１の周縁には、周壁部１９用の差し込み孔が設けられている。
【００５５】
周壁部１９は、例えば、打席２０の両側に立設する透明なアクリル製の板と、外野側に立設する強化段ボール製の板とで構成される。
打席２０両側の周壁部１９は、高さ１５ｃｍ×長さ５５ｃｍ×厚さ１ｃｍ程度のパーツをそれぞれ５枚ずつ連接するように所定位置の差し込み孔に差し込むことにより形成される。
また外野側の周壁部１９は、高さ１５ｃｍで長さが異なる複数のパーツを上面板１１の周縁形状に合わせて所定位置の差し込み孔に差し込むことにより形成される。
さらに周壁部１９と一体となっているバックスクリーン１４は、センター後方に設けられた周壁部１９周縁の差し込み孔に差し込み立設される。
【００５６】
つぎに、配球装置２を収容する容器は、例えば強化段ボール製で、上面板１１に表示されているホームベース上に設けられた１０ｃｍ角程度の切欠きの真下に面ファスナー等の取付け・取り外し可能な貼着材で固定される。
そして、配球装置２は上述の容器に収納され、打撃装置３は上面板１１上に表示されたバッターボックス内に載置されることで、野球ゲーム盤１の組み立てが完了する。
解体時は、組立時の逆の工程を行えばよい。
このように、組立、解体が簡単で、バン車両１台程度にコンパクトに収納できて運搬が容易なので、適度の広さがあれば、どこでも楽しめる野球ゲーム盤を提供することができる。
【００５７】
つづいて、本発明の実施例１に係る野球ゲーム盤１の遊び方について説明する。
鶯嬢が打者名をアナウンスし、打者が打席２０に入る。打席２０の幅Ｗｐは略１．５ｍあるので、幅７０ｃｍ×奥行１ｍ程度の車いすに乗った身障者でも、車いすに乗ったまま打席２０に入ることができる。
【００５８】
主審は、打撃装置３のバット３１を弾性体３７に付勢力が生じるように後方に回動させ、係止棒３９を係止体３８ａ、３８ｂを通してヘッド３２の凹部３３に挿入する。係止棒３９を凹部３３に挿入する深さは、主審が打者によって調節する。
打席２０に入った打者は、手許体４１を手に持ち待機する。手許体４１の先には長さ５０ｃｍ〜６０ｃｍの紐４０が付いているので、打者は車いすに乗ったまま手許体４１を手に持つことができる。
つぎに主審は、配球装置２の回転している円板２１上の球座２２にボール４を載置する。円板２１の回転速度は、予め主審が駆動速度調節つまみ２３２で調整しておく。
【００５９】
打者は、回転しているボール４の位置を見計らって、腕を後方に引いたり、肘や手首を曲げたりすることにより手許体４１を引くことで、係止棒３９が凹部３３から引き抜かれ、解除された付勢力により、バット３１が水平に前方方向に回動してボール４を打つ。
そして、打球がアウト凹部１５に入った場合は、主審がアウトをコールし、ヒット凹部１６やホームラン凹部１７に入るかどこにも入らずに上面板１１上で止まった場合には、主審が、それぞれ一塁打、二塁打、三塁打、ホームランとコールし、塁上に走者がいることになる走者灯１８ａ、１８ｂ、１８ｃを点灯する。
鶯嬢は、次の打者名をアナウンスする。そしてスリーアウトになると、相手チームが同様に打席に入る。
このように、身障者が打席に入ったとしても、動いている（回転している）ボール４を注視しながら、単に手許体４１を引くだけで、そのタイミングいかんによって、アウトになったり、ヒットになったり、ホームランになったりするので、実際の野球と同じような醍醐味を味わうことができる。
【００６０】
打者は、自分の名前をアナウンスされて打席２０に入る経験ができるので、実際の野球をプレイしているような昂揚感を覚える。またチームメイトや保護者は、打席２０の両側に立設する透明なアクリル製の周壁部１９を透して、打者の傍らで応援しながら観戦するので、打者のプレイに共感を覚える。このため、保護者を含むチーム全員が、あたかも野球場にいるという臨場感を感じることができる。
【００６１】
このように、本発明の実施例１によれば、上記構成を採用することで、実際の野球や野球ゲーム盤の経験の有無、健常者や身障者を問わず、誰もが最初から容易にプレイ可能で面白さを体感できる野球ゲーム盤を提供することができる。
【００６２】
以上、本発明の野球ゲーム盤１について、具体的な実施の形態を示して説明したが、本発明はこれらに限定されるものではない。当業者であれば、本発明の要旨を逸脱しない範囲内において、上記各実施形態又は他の実施形態にかかる発明の構成及び機能に様々な変更・改良を加えることが可能である。
【００６３】
例えば、バット３１の材質を金属製に変更する構成にしてもよい。実際の野球の打球音にさら近づくことから、さらに野球をプレイしているという実感が得られる野球ゲーム盤を提供することができる。
【００６４】
また、配球装置２の円板２１を左回転だけでなく、右回転させる構成にしてもよい。さらに打者ごと又は１球ごとに回転方向を左右に変える構成にしてもよい。打者は、回転方向が変わりボール４に集中するので、一層野球をプレイしているという実感が得られる野球ゲーム盤を提供することができる。
【００６５】
さらに、右打者用の打撃装置３だけでなく、左打者用の打撃装置３を設置し、打者にどちらの打撃装置３を使用するか選択させる構成にしてもよい。打者は、バット３１の回動方向が変わるので、より一層野球をプレイしているという実感が得られる野球ゲーム盤を提供することができる。
【００６６】
また、円板２１上の球座２２の位置を径方向に変える構成にしてもよい。例えば、円板２１の中心に近い位置に球座２２を配置すれば、ボール４がストライクゾーンの真ん中寄りを移動するので打ちやすく、円板２１の中心から遠い位置に球座２２を配置すれば、ボール４がストライクゾーンからボールゾーンまで移動する範囲が広がるので打つ難易度が高くなり、打者のレベルに合わせて楽しめる野球ゲーム盤を提供することができる。
【００６７】
加えて、円板２１上の球座２２の形状及び材質を、例えば、ボール４の表面形状に合わせた窪みを有する樹脂製に変更する構成にしてもよい。上面板１１からのボール４の高さを変えずに、球座２２の最外縁を略１ｃｍと高くすれば、円板２１の回転速度を速くしてもボール４を安定して載置することができる。円板２１の回転速度を速くすることにより、ボール４を打つ難易度が高くなり、打者のレベルに合わせて楽しめる野球ゲーム盤を提供することができる。
【００６８】
さらに、円板２１に代えて、例えば楕円や正多角形の平板を用いる構成にしてもよい。楕円の短径や長径に沿って、あるいは正多角形の頂点付近に球座２２を配置することにより、ボール４が移動する範囲が変化するように視覚的に錯覚するので、打者のレベルに合わせてさらに楽しめる野球ゲーム盤を提供することができる。
【００６９】
また、例えば、手許体４１を木製の直方体に代えて面ファスナーに変更する構成にしてもよい。例えば、手で直方体を把持できなくとも、足に面ファスナーを巻き付けて足の動きで係止棒３９をバット３１の凹部３３から引き抜いてプレイを楽しめる野球ゲーム盤を提供することができる。
【符号の説明】
【００７０】
１      野球ゲーム盤
２      配球装置
３      打撃装置
４      ボール
１０    ゲーム盤本体
１１    上面板
１２    ホームベース
１３    バッターボックス
１４    バックスクリーン
１５    アウト凹部
１６    ヒット凹部
１７    ホームラン凹部
１８ａ  一塁走者灯
１８ｂ  二塁走者灯
１８ｃ  三塁走者灯
１９    周壁部
２０    打席
２１    円板
２２    球座
２３    駆動装置
２３１  電源スイッチ
２３２  駆動速度調節つまみ
２３３  ターンテーブル
２３４  回動軸
２３５  駆動ユニット
２３６  速度調節ユニット
３１    バット
３２    ヘッド
３３    凹部
３４    枠体
３５    軸
３６    台体
３７    弾性体
３８ａ  係止体
３８ｂ  係止体
３９    係止棒
４０    紐
４１    手許体
４２    収納部
【要約】
【課題】誰もが最初から容易にプレイ可能で面白さを体感できる野球ゲーム盤を提供する。
【解決手段】野球ゲーム盤１は、円板２１、前記円板２１の上面周縁にボールを係止するための球座２２、前記円板を回動させるための駆動装置２３を備える配球装置２と、ヘッド３２の先端に凹部３３を有しているバット３１、前記バット３１を把持し、水平に回動可能な軸を有している枠体３４、前記枠体３４を、その一端側で回動可能に固定している台板３６、前記枠体３４と前記台板３６との間に装着されていて、その変形により前記枠体３４の回動を付勢する弾性体３７、前記台板３６の他端側に固定されていて、貫通孔を有している係止体３８ａ、３８ｂ、前記係止体３８ａ、３８ｂの貫通孔を通して前記凹部３３に挿入することにより、前記弾性体３７を付勢した状態に維持したまま前記バット３１を係止する係止棒３９を備える打撃装置３とを備える。
【選択図】図１【図１】
0006729956.tif 000002
【図２】
0006729956.tif 000003
【図３】
0006729956.tif 000004
【図４】
0006729956.tif 000005
【図５】
0006729956.tif 000006